(57)【特許請求の範囲】
【請求項１】
被梱包物の角部４面に対応する基部緩衝壁(21)、一対の側部緩衝壁(22)、及び端部緩衝壁(23)を備え、前記基部緩衝壁(21)及び側部緩衝壁(22)は、基板(1)及びその両側に繋がる外側板(2)の一端に、それぞれ複数枚の重合板(3a〜3d,4a〜4d)を順次連設し、その内側縁を漸次階段状に後退させ、先端側の重合板(3d,4d)同士を連結片(10)で連結し、他の重合板(3a〜3c,4a〜4c)の内側縁に切欠部(11)を形成し、これらの重合板(3a〜3d,4a〜4d)を交互に逆方向に折り重ね、基板(1)に対して外側板(2)をその重合板(4a〜4d)と共に引き起こし、連結片(10)が切欠部(11)に嵌まり込むようにして形成し、前記端部緩衝壁(23)は、基板(1)及び外側板(2)の他端に、それぞれ外端板(5)及び抱込板(6)を連設し、基板(1)から外端板(5)を起立させ、内側に折り曲げた抱込板(6)を外端板(5)とその先端から延出した内端板(8)との間に挟み込んで形成した段ボール製緩衝材。
【発明の詳細な説明】
【０００１】
【発明の属する技術分野】
この発明は、ワードプロセッサやノート型パソコン等の梱包に使用する段ボール製緩衝材に関するものである。
【０００２】
【従来の技術】
従来より、例えば実開昭５７−１３１４６０号公報に示されたように、段ボールを積層した３面当ての緩衝材は知られているが、ワードプロセッサ等の角部４面に沿わせる緩衝材としては、発泡スチロール製のものが使用されている。
【０００３】
【発明が解決しようとする課題】
しかしながら、発泡スチロールは、焼却すると多量の熱や黒煙が発生し、また、焼却せずに廃棄すると分解されずに土壌中に残存するという問題がある。
【０００４】
そこで、この発明は、環境への影響が少ない段ボールを素材として４面当ての緩衝材を構成しようとするものである。
【０００５】
【課題を解決するための手段】
上記課題を解決するため、この発明は、被梱包物の角部４面に対応する基部緩衝壁、一対の側部緩衝壁、及び端部緩衝壁を備え、前記基部緩衝壁及び側部緩衝壁を、基板及びその両側に繋がる外側板の一端に、それぞれ複数枚の重合板を順次連設し、これらを交互に逆方向に折り重ね、基板に対して外側板をその重合板と共に引き起こして形成し、前記端部緩衝壁を、基板及び外側板の他端に、それぞれ外端板及び抱込板を連設し、基板から外端板を起立させ、内側に折り曲げた抱込板を外端板とその先端から延出した内端板との間に挟み込んで形成した段ボール製緩衝材を提供する。
【０００６】
【発明の実施の形態】
以下、この発明の実施の形態を添付図面に基づいて説明する。図１及び図２は、この発明に係る緩衝材Ａ、Ｂを用いてワードプロセッサＷを梱包した状態を示す。図示のように、緩衝材ＡはワードプロセッサＷの前角部に、緩衝材ＢはワードプロセッサＷの後角部に使用するものである。
【０００７】
図３に示す緩衝材Ａのブランクにおいて、基板１の両側縁には外側板２が連設され、これらの一端縁には、それぞれ４枚の重合板３ａ乃至３ｄ、４ａ乃至４ｄが順次連設されている。基板１及び外側板２の他端縁には、それぞれ外端板５及び抱込板６が連設され、外端板５の先端には、巻込片７を介して内端板８が連設されている。内端板８の一側縁は斜辺となっている。
【０００８】
基板１と重合板３ａ、重合板３ｂと重合板３ｃ、外側板２と重合板４ａ、重合板４ｂと重合板４ｃは繋ぎ片９ａで連結され、重合板３ａと重合板３ｂ、重合板３ｃと重合板３ｄ、重合板４ａと重合板４ｂ、重合板４ｃと重合板４ｄの稜線はライナ１枚を残して切断した半切り罫線９ｂとされている。
【０００９】
重合板３ａ乃至３ｄ、４ａ乃至４ｄの内側縁は、組立時の干渉を避けるため、漸次階段状に後退している。そして、重合板３ｄと重合板４ｄとは、連結片１０で連結され、この連結片１０が嵌まり込む切込部１１が重合板３ａ乃至３ｃ、４ａ乃至４ｃの内側縁に形成されている。
【００１０】
抱込板６の外側縁には、巻込片７の幅に相当する凹部１２が形成され、内端板８の先端には差込片１３が、重合板３ｃと重合板３ｄの稜部には差込孔１４が設けられている。
【００１１】
一方の重合板４ｄの外側縁には、繋ぎ片１５を介して傾斜板１６が、その一端には巻込片１７を介して斜受板１８が、その内側縁には繋ぎ片１９を介して斜受板２０が設けられている。
【００１２】
上記のようなブランクを組み立てる際には、図４及び図５に示すように、連結片１０で連結された重合板３ｄ、４ｄを持ち、重合板３ａ乃至３ｄ、４ａ乃至４ｄを一列ずつ同調して交互に逆方向に折り重ねつつ基板１及び外側板２に重ね、斜受板１８を斜受板２０に重ねた後、これらを傾斜板１６に重ね、図６に示すように、傾斜板１６を斜受板１８、２０を介して重合板４ｄに重ねる。そして、図７に示すように、基板１に対して外側板２、２をその重合板４ａ乃至４ｄと共に引き起こし、基部緩衝壁２１及び一対の側部緩衝壁２２、２２を形成する。
【００１３】
次いで、抱込板６、６を内側へ折り曲げ、基板１から外端板５を起立させ、抱込板６、６を巻込片７及び内端板８で巻き込むようにして外端板５と内端板８との間に挟み込み、差込片１３を差込孔１４に差し込んで端部緩衝壁２３を形成する。このとき、凹部１２に係合した巻込片７が抱込板６、６の上縁を押さえて側部緩衝壁２２、２２の揺動を防止し、内側板８の斜辺が傾斜板１６に当接してその迫り出しを防止する。
【００１４】
次に、緩衝材Ｂについて、図８乃至図１０に基づいて説明する。図８は緩衝材Ｂのブランクを、図９及び図１０はその組立過程及び組立状態を示す。これらの図に示すように、緩衝材Ｂは、上記緩衝材Ａから傾斜板１６乃至斜受板２０を除いたものである。
【００１５】
上記のような緩衝材Ａ、Ｂを使用してワードプロセッサＷを梱包するには、図１及び図２に示すように、緩衝材Ａの基部緩衝壁２１、側部緩衝壁２２、２２及び端部緩衝壁２３をそれぞれワードプロセッサＷの前角部前面、底面、上面及び側面に沿わせ、また、緩衝材Ｂの基部緩衝壁２１、側部緩衝壁２２、２２及び端部緩衝壁２３をそれぞれワードプロセッサＷの後角部後面、底面、上面及び側面に沿わせる。このとき、緩衝材Ａの傾斜板１６はワードプロセッサＷの上面前部の傾斜に沿うようにする。そして、この状態で外箱Ｃに収納する。このように梱包すると、ワードプロセッサＷは外箱Ｃ内で確実に保持され、外部の衝撃から保護される。
【００１６】
この緩衝材Ａ、Ｂは、重合板３ａ乃至３ｄ、４ａ乃至４ｄの折り重ねで基部緩衝壁２１、側部緩衝壁２２、２２を同時に形成することができるので、組立作業性に優れており、また、組立状態で積み上げて保管しておくことができる。
【００１７】
また、先端の重合板３ｄ、４ｄを繋ぐ連結片１０が他の重合板３ａ乃至３ｃ、４ａ乃至４ｃの切込部１１に嵌まり込むので、重合板３ａ乃至３ｄ、４ａ乃至４ｄの相互のずれが抑制され、確実に保形される。
【００１８】
なお、連設する重合板の枚数は、被梱包物の重量や要求される緩衝性に応じて適宜変えればよい。
【００１９】
【発明の効果】
以上のように、この発明では、段ボールを折り重ねてその両側部を起立させ、その起立状態を維持することにより、被梱包物の角部４面に対応する緩衝壁を備えた組立容易な緩衝材を形成したので、発泡スチロールの緩衝材を使用することなく、被梱包物を確実に保持し、衝撃から保護することができる。
【図面の簡単な説明】
【図１】この発明に係る段ボール製緩衝材の使用状態を示す斜視図
【図２】同上の梱包状態を示す縦断側面図
【図３】前角用緩衝材のブランクを示す図
【図４】同上の組立過程を示す斜視図
【図５】同上の組立過程を示す斜視図
【図６】同上の組立過程を示す斜視図
【図７】同上の組立状態を示す斜視図
【図８】後角用緩衝材のブランクを示す図
【図９】同上の組立過程を示す斜視図
【図１０】同上の組立状態を示す斜視図
【符号の説明】
１  基板
２  外側板
３ａ乃至４ｄ  重合板
５  外端板
６  抱込板
８  内端板
２１  基部緩衝壁
２２  側部緩衝壁
２３  端部緩衝壁
【図１】
0004093654.tif 000002
【図２】
0004093654.tif 000003
【図３】
0004093654.tif 000004
【図４】
0004093654.tif 000005
【図５】
0004093654.tif 000006
【図６】
0004093654.tif 000007
【図７】
0004093654.tif 000008
【図８】
0004093654.tif 000009
【図９】
0004093654.tif 000010
【図１０】
0004093654.tif 000011